(57)【要約】【課題】部品点数が少なくて構成が簡素であり、薄形化することができるセンサユニットおよびセンサ装置を提供する。【解決手段】センサユニット１は、第１の基板６の一方の面６ａに配設されているセンサ部２と、底部９ａに第１の開口１０を有し、内面に第１の基板６が当接される内ケース３と、底部１３ａに第２の開口１４を有し、内面に内ケース３の外面が当接される外ケース４と、第１の基板６の他方の面６ｂに当接し、自身の弾性復帰力により外ケース４との間で第１の基板６および内ケース３を保持する弾性保持部材５を具備している。【選択図】図１
2004279067.tif 000002
【特許請求の範囲】
【請求項１】
第１の基板の一方の面に配設されているセンサ部と；
底部に第１の開口を有して椀状に形成され、内面に第１の基板が当接されるようにして内部にセンサ部を収納している内ケースと；
底部に第２の開口を有して椀状に形成され、内面に内ケースの外面が当接されるようにして内部に内ケースを収納している外ケースと；
第１の基板の他方の面に当接し、自身の弾性復帰力により外ケースとの間で第１の基板および内ケースを保持するように形成されている弾性保持部材と；
を具備していることを特徴とするセンサユニット。
【請求項２】
第１の基板の一方の面に配設されているセンサ部と；
底部に第１の開口を有して椀状に形成され、内面に第１の基板が当接されるようにして内部にセンサ部を収納している内ケースと；
底部に第２の開口および裾部に係止部を有して椀状に形成され、内面に内ケースの外面が当接されるようにして内部に内ケースを収納している外ケースと；
第１の基板の他方の面に当接する支柱部、この支柱部と一体に形成されている基台部および基台部に設けられた鍔部からなり、自身の弾性復帰力により外ケースとの間で第１の基板および内ケースを保持するように形成されている弾性保持部材と；
弾性保持部材の基台部が挿通され、かつ鍔部が第１の基板が対向する面に係止可能に形成された第１の孔と、外ケースの係止部が挿通され、かつ当該係止部が第１の基板が対向する面の背面に係止可能に形成された第２の孔を有する第２の基板と；
を具備していることを特徴とするセンサユニット。
【請求項３】
内ケースは、底部に第１の開口からセンサ部が挿入され、かつ少なくともセンサ部の先端部が突出可能な筒部が形成されていることを特徴とする請求項１または２記載のセンサユニット。
【請求項４】
内ケースは、裾部に突起が形成され、外ケースは、内ケースが収納されるときに突起が移動できる溝が形成されていることを特徴とする請求項１ないし３いずれか一記載のセンサユニット。
【請求項５】
弾性保持部材の基台部は、センサ部または第１の基板から導出されているリード線を挿通可能な挿通部が形成されていることを特徴とする請求項２ないし４いずれか一記載のセンサユニット。
【請求項６】
第２の基板は、センサ部に駆動電圧を供給する電源回路部およびセンサ部の検出電圧を増幅する増幅回路部を有する回路基板であることを特徴とする請求項２ないし５いずれか一記載のセンサユニット。
【請求項７】
請求項１ないし６いずれか一記載のセンサユニットと；
このセンサユニットを配設しているセンサ装置本体と；
を具備していることを特徴とするセンサ装置。
【発明の詳細な説明】
【０００１】
【発明の属する技術分野】本発明は、人体や物体および明るさなどの検出を行うセンサ素子を具備したセンサユニットおよびセンサ装置に関する。
【０００２】
【従来の技術】人体から輻射される熱線を検出する人感センサにより、人の存在を検出したときに照明器具を点灯させることが行われている。また、照明エリアからの反射光を検出する照度センサにより、照明器具からの放射光を変化させて照明エリアを一定の照度にすることが行われている。これら人感センサや照度センサは、取付の位置や場所などに応じて、センサ素子の検出方向を調節する必要があるので、当該検出方向を自在にすることのできるセンサ装置が提案されている（例えば、特許文献１または特許文献２参照。）。
【０００３】
特許文献１の物体検知器は、その中心部を一点支持でケースに取付け、検知器が周方向および直角方向に自在に回転できる構成としたものであり、物体検知器の取り付けの際の検知エリアの設定作業を容易かつ正確に行うことができるというものである。また、特許文献２の感熱自動スイッチは、センサ本体をホルダに対して回動自在になるように取り付けてセンサブロックを形成したものであり、ユニット化とともに、センサブロックを取り付ける外殻の形状の変更により、多品種への対応が容易になるというものである。
【０００４】
【特許文献１】特開平２−３１１７８０号公報（第２−３頁、第１図）
【０００５】
【特許文献２】特開平４−５５７９１号公報（第３頁、第１図）
【０００６】
【発明が解決しようとする課題】特許文献１は、検知器本体の中心部に位置して、基台部と一体に球状部材が形成され、この球状部材が回転自在に受容される球受け部材がケースの底板に一体に形成されている。したがって、球状部材および球受け部材の形状や形成位置に正確性を要するので、物体検知器がコストアップするという欠点を有する。また、物体検知器は、球状部材および球受け部材の突出形状などにより、薄形化が制約されるという欠点を有する。
【０００７】
特許文献２は、センサボディ、センサ素子を配設した回路基板およびレンズを有するセンサ本体と、センサホルダおよびセンサリングを有するホルダによりセンサブロックが形成され、このセンサブロックを保持する内カバーおよび外カバーからなるカバーを有して感熱自動スイッチが構成されている。したがって、部品点数が多いので、コストアップするとともに、センサブロックおよびカバーの形状などにより、薄形化が困難であるという欠点を有する。
【０００８】
本発明は、部品点数が少なくて構成が簡素であり、薄形化することができるセンサユニットおよびセンサ装置を提供することを目的とする。
【０００９】
【課題を解決するための手段】請求項１に記載のセンサユニットの発明は、第１の基板の一方の面に配設されているセンサ部と；底部に第１の開口を有して椀状に形成され、内面に第１の基板が当接されるようにして内部にセンサ部を収納している内ケースと；底部に第２の開口を有して椀状に形成され、内面に内ケースの外面が当接されるようにして内部に内ケースを収納している外ケースと；第１の基板の他方の面に当接し、自身の弾性復帰力により外ケースとの間で第１の基板および内ケースを保持するように形成されている弾性保持部材と；を具備していることを特徴とする。
【００１０】
本発明および以下の各発明において、特に言及しない限り、各構成は以下による。
【００１１】
センサ部は、内部にセンサ素子を配設しているものである。
【００１２】
第１の基板は、少なくともセンサ部を配設（実装）している。そして、通常、電源線および出力線からなるリード線が接続され、このリード線を回路パターンなどによりセンサ部に接続するものである。すなわち、センサ部は、電源線を介して駆動電圧が供給され、出力線を介して検出電圧が出力される。なお、リード線は、第１の回路基板を介さずにセンサ部に直接的に接続されていてもよい。
【００１３】
底部は、頂部に言い換えてもよい。すなわち、内ケースまたは外ケースは、椀状に形成されているので、重力方向に対して１８０°回転させることにより、底部になり、頂部になる。
【００１４】
第１および第２の開口は、少なくともセンサ部が挿通される挿通孔となり、あるいは外部からセンサ部に入射される赤外光や反射光などの検出光の窓口となるものである。
【００１５】
弾性保持部材は、硬質ゴムや剛性ゴム、ばね（スプリング）、スポンジおよびエアギャップなど、自身が弾性復帰力を有するものであればよい。
【００１６】
センサ部は、第１の基板の一方の面に配設され、第１の基板は、内ケースの内面に当接されて固定されるので、内ケースの外面を外ケースの内面に摺動させることにより、内ケースと共に第１の基板が回動することになり、センサ部の検出方向が変化される。
【００１７】
本発明によれば、外ケースおよび弾性保持部材の間で第１の基板および内ケースが弾性保持部材の弾性復帰力により保持され、内ケースの内面に第１の基板が当接され、外ケースの内面に内ケースの外面が当接される。すなわち、第１の基板およびセンサ部が内ケースに固定されて収納され、内ケースが外ケースに固定されて収納される。そして、センサユニットは、センサ部および第１の基板、内ケース、外ケースおよび弾性保持部材を有して形成されるので、部品点数が少なく、安価に形成されるとともに、薄形化が可能である。
【００１８】
請求項２に記載のセンサユニットの発明は、第１の基板の一方の面に配設されているセンサ部と；底部に第１の開口を有して椀状に形成され、内面に第１の基板が当接されるようにして内部にセンサ部を収納している内ケースと；底部に第２の開口および裾部に係止部を有して椀状に形成され、内面に内ケースの外面が当接されるようにして内部に内ケースを収納している外ケースと；第１の基板の他方の面に当接する支柱部、この支柱部と一体に形成されている基台部および基台部に設けられた鍔部からなり、自身の弾性復帰力により外ケースとの間で第１の基板および内ケースを保持するように形成されている弾性保持部材と；弾性保持部材の基台部が挿通され、かつ鍔部が第１の基板が対向する面に係止可能に形成された第１の孔と、外ケースの係止部が挿通され、かつ当該係止部が第１の基板が対向する面の背面に係止可能に形成された第２の孔を有する第２の基板と；を具備していることを特徴とする。
【００１９】
第２の基板において、弾性保持部材の鍔部は、第１の基板が対向する面の第１の孔の周縁部に係止され、外ケースの係止部は、第１の基板が対向する面の背面の第２の孔の周縁部に係止される。すなわち、外ケースの係止部には、第２の基板から第１の基板の方向に弾性保持部材の弾性復帰力が作用し、弾性保持部材の鍔部には、第１の基板から第２の基板の方向に弾性復帰力に対抗する力が作用する。
【００２０】
弾性保持部材は、支柱部または基台部の少なくとも一方が弾性復帰力を有していればよい。
【００２１】
本発明によれば、弾性保持部材の弾性復帰力により、弾性保持部材の鍔部が第１の基板が対向する面に係止され、外ケースの係止部が第１の基板が対向する面の背面に係止され、弾性保持部材および外ケースの間で第１の基板および内ケースが保持される。
【００２２】
請求項３に記載のセンサユニットの発明は、請求項１または２記載のセンサユニットにおいて、内ケースは、底部に第１の開口からセンサ部が挿入され、かつ少なくともセンサ部の先端部が突出可能な筒部が形成されていることを特徴とする。
【００２３】
センサ部の先端部が筒部より突出されることにより、センサ部に赤外光や反射光などの検出光が入射される。
【００２４】
そして、センサ部および筒部が外ケースの第２の開口を挿通するようにしていると、センサ部は、筒部が第２の開口の周部に当接するまで回動可能である。すなわち、センサ部は、第２の開口の大きさにより、検出方向が所定の範囲に設定される。
【００２５】
本発明によれば、筒部は、センサ部を挿通しているので、センサ部が外部から保護されるとともに、センサユニットの意匠性が向上される。
【００２６】
請求項４に記載のセンサユニットの発明は、請求項１ないし３いずれか一記載のセンサユニットにおいて、内ケースは、裾部に突起が形成され、外ケースは、内ケースが収納されるときに突起が移動できる溝が形成されていることを特徴とする。
【００２７】
裾部は、椀状の開口部側の外周をいう。裾部は、他の外面部より突起が形成されやすく、突起の突出長が小さく形成されやすい。
【００２８】
本発明によれば、内ケースの突起が外ケースの溝において移動または回動するので、突起が移動軸または回動軸の役目を果たすと共に、内ケースの回動が規制される。
【００２９】
請求項５に記載のセンサユニットの発明は、請求項２ないし４いずれか一記載のセンサユニットにおいて、基台部は、センサ部または第１の基板から導出されているリード線を挿通可能な挿通部が形成されていることを特徴とする。
【００３０】
挿通部は、孔、切り欠き、割れ目など、リード線を挿通させるものであればよい。
【００３１】
本発明によれば、挿通部は、基台部に容易に形成されるとともに、センサ部または第１の基板からのリード線を外部に導出させやすい。
【００３２】
請求項６に記載のセンサユニットの発明は、請求項２ないし５いずれか一記載のセンサユニットにおいて、第２の基板は、センサ部に駆動電圧を供給する電源回路部およびセンサ部の検出電圧を増幅する増幅回路部を有する回路基板であることを特徴とする。
【００３３】
本発明によれば、第２の基板は、センサ部に駆動電圧を供給する電源回路部およびセンサ部の検出電圧を増幅する増幅回路部を有するので、センサ部または第１の基板から導出されているリード線が短長で第２の基板に接続されるとともに、センサユニットが小形化される。
【００３４】
請求項７に記載のセンサ装置の発明は、請求項１ないし６いずれか一記載のセンサユニットと；このセンサユニットを配設しているセンサ装置本体と；を具備していることを特徴とする。
【００３５】
本発明によれば、センサ部および第１の基板、内ケース、外ケースおよび弾性保持部材を有して形成されたセンサユニットを具備するので、安価であり、薄形化が可能なセンサ装置が提供される。
【００３６】
【発明の実施の形態】以下、本発明の一実施の形態について、図面を参照して説明する。まず、本発明の第１の実施形態について説明する。
【００３７】
図１〜図３は、本発明の第１の実施形態を示し、図１はセンサユニットの断面図、図２はセンサユニットの分解斜視図、図３は外ケースの縦断面図である。
【００３８】
図１および図２において、センサユニット１は、センサ部２、内ケース３、外ケース４および弾性保持部材５を有して構成されている。
【００３９】
センサ部２は、例えば人体から放射される熱線を検出する焦電素子や照度（明るさ）を検出するフォトダイオードなどのセンサ素子（図示しない。）を有して形成され、第１の基板（回路基板）６の一方の面６ａの中央部に配設（実装）されている。
【００４０】
第１の基板６は、例えばガラスエポキシ材からなり、長方形の両端が半円状に形成されている。そして、第１の基板６は、図１に示すように、電源線および出力線からなるリード線７が接続されている。電源線および出力線は、第１の基板６の回路パターンによりセンサ部２の電源端子および出力端子にそれぞれ接続されている。
【００４１】
内ケース３は、椀状に形成された内ケース本体９の底部９ａに第１の開口１０が形成され、さらに底部９ａに内ケース本体９と一体に筒部１１が形成されている。第１の開口１０および筒部１１の内径は、センサ部２が挿通可能な大きさに形成されている。また、裾部９ｂに板状の一対の突起１２，１２が外方に突出するように設けられている。突起１２，１２は、外ケース４の後述の溝に挿入され、内ケース本体９の移動と共に、溝に沿って移動していくものである。
【００４２】
内ケース３は、内部にセンサ部２および第１の基板６を収納するものであり、内ケース本体９は、センサ部２および第１の基板６を収納可能な大きさに形成されている。そして、内ケース３は、第１の開口１０から筒部１１内へセンサ部２が挿入され、内面に第１の基板６の両端が当接されるものである。ここで、センサ部２の先端部２ａが筒部１１から突出するように、内ケース本体９の底部９ａからの筒部１１の突出長が予め設定されている。筒部１１は、センサ部２を外部からの衝撃などから保護するとともに、内ケース３の意匠性を向上させ、美観を生じさせている。また、センサ部２の先端部２ａを筒部１１から突出させることにより、センサ部２は、所定の方向から熱線（赤外光）や反射光（可視光）などの検出光が受信可能となっている。
【００４３】
外ケース４は、椀状に形成された外ケース本体１３の底部１３ａに第２の開口１４が形成され、さらに裾部１３ｂの下端面から延出するようにして係止部としての一対の爪部１５，１５を有する係止脚１６，１６が形成されている。この係止脚１６，１６は、弾性復帰力を有し、例えば互いに近づく方向に押圧され変形されると、押圧の解除後、直ちに復帰するものである。ケース本体１３は、内ケース３を収納可能な大きさに形成され、第２の開口１４は、図１に示すように、少なくともセンサ部２が挿通される筒部１１が挿通可能な大きさに形成されている。また、外ケース４は、図３に示すように、外ケース本体１３の内面に開口部１３ｂから第２の開口１４に向かい、内ケース３の突起１２が挿入されて移動できる所定長の溝１７が一対形成されている。
【００４４】
外ケース４は、内部に内ケース３を収納するものであり、第２の開口１４からセンサ部２および内ケース３の筒部１１が挿通される。このとき、内ケース３の突起１２が溝１７に挿入され、突起１２は、外ケース４の内面に内ケース３の外面が当接するまで、内ケース本体９の移動に伴って、溝１７に沿って移動していく。内ケース３の一対の突起１２，１２は、外ケース４の内面に内ケース３の外面が当接しているときに、内ケース３を回動させる回動軸となっており、内ケース３が回動されることにより、センサ部２の検出方向が変化される。
【００４５】
弾性保持部材５は、例えば弾性復帰力を有する硬質ゴムからなり、第１の基板６の他方の面６ｂの中央部に当接する支柱部１８およびこの支柱部１８と一体に形成されている皿状の基台部１９に形成されている。支柱部１８は、基台部１９の底面１９ａの中央部に立設するようにして設けられ、その先端部１８ａは、三角錐に形成されている。そして、基台部１９の上周部は、鍔部２０を有するように形成されている。また、基台部１９の底面１９ａには、挿通部としての孔２０が形成され、この孔２０に第１の基板６から導出されているリード線７が挿通されている。基台部１９は、硬質ゴムからなるので、孔２０が容易に形成される。そして、この孔２０を設けることにより、内ケース３および外ケース４にリード線７の挿通部を設けることを要せず、手間が軽減されるとともに、基台部１９の底面１９ａからリード線７を外部に導出させやすい。
【００４６】
そして、基台部１９は、第２の基板２１に形成された第１の孔２２に挿通され、鍔部２０は、第１の基板６が対向する面（一方の面）２１ａに係止されている。一方、外ケース４は、一対の係止脚１６，１６が第２の基板２１に形成された第２の孔２３，２３に挿通されて、一対の爪部１５，１５が前記一方の面２１ａの背面（他方の面）２１ｂに係止されている。弾性保持部材５の支柱部１８の先端部１８ａは、第１の基板６の他方の面６ｂの中央部に当接しているので、外ケース４は、第１の基板６および内ケース３を介して第２の基板２１から第１の基板６の方向に向かう弾性保持部材５の弾性復帰力が作用する。しかし、外ケース４の一対の爪部１５，１５が第２の基板２１の他方の面２１ｂに係止されているので、外ケース４は、弾性保持部材５の弾性復帰力に対抗して第１の基板６から第２の基板２１の方向に向かう対抗力を弾性保持部材６に作用させる。この弾性保持部材５の弾性復帰力および外ケース４からの対抗力の釣合いにより、弾性保持部材６および外ケース４との間で、第１の基板６および内ケース３が保持されている。
【００４７】
弾性保持部材５は、上述したように、自身の弾性復帰力により外ケース４との間で第１の基板６および内ケース３を保持するものであり、この保持により、第１の基板６の両端が内ケース本体９の内面に当接し、内ケース本体９の外面が外ケース本体１３の内面に当接されて、第１の基板６およびセンサ部２、内ケース３、外ケース４および弾性保持部材５が一体化されている。
【００４８】
そして、第２の基板２１は、例えばガラスエポキシ材からなり、センサ部２に駆動電圧を供給する電源回路部およびセンサ部２の検出電圧を増幅する増幅回路部を有する回路基板に形成されている。そして、第２の基板２１に第１の基板６から導出されたリード線７が接続されている。リード線７が第２の基板２１に接続されるので、リード線７の長さが短いものとなる。また、電源回路部および増幅回路部がセンサ部２の近辺に位置することにより、コンパクト化され、センサユニット１の小形化が可能である。
【００４９】
次に、本発明の第１の実施形態の作用について述べる。
【００５０】
図１において、まず、第２の基板２１の第１の孔２２に弾性保持部材５の基台部１９が挿通され、鍔部２０が第２の基板２１の一方の面２１ａに係止されるようにする。そして、第１の基板６から導出しているリード線７を基台部１９の底部１９ａの孔２０に挿通させた後、センサ部２が内ケース３の第１の開口１０から筒部１１に挿通されるようにして、第１の基板６を内ケース３の内部に収納する。さらに、内ケース３の突起１２，１２が外ケース４の内面に形成された溝１７，１７に挿入されるようにして、内ケース３を外ケース４の内部に移動させ、センサ部２および筒部１１が外ケース４の第２の開口１４に挿通されるように、突起１２，１２を溝１７，１７に沿って移動させて、内ケース３を外ケース４の内部に収納する。
【００５１】
そして、外ケース４の係止脚１６，１６を手で掴み、係止脚１６，１６を係止脚１６，１６同士が互いに近づく方向に変形させ、第１の基板６の他方の面６ｂの中央部を弾性保持部材５の支柱部１８の先端部１８ａに当接させる。この状態で、外ケース４を第２の基板２１の方向に押圧して弾性保持部材５の支柱部１８および基台部１９を変形させながら、係止脚１６，１６の爪部１５，１５を第２の基板２１に形成された第２の孔２３，２３に挿通させる。爪部１５，１５が第２の基板２１の他方の面２１ｂに到達したときに、手による係止脚１６，１６の掴みを解除する。すると、係止脚１６，１６は、自己の弾性復帰力により当初の状態に復帰し、爪部１５，１５が第２の基板２１の他方の面２１ｂに当接して係止される。
【００５２】
そして、外ケース４を第２の基板２１の方向に押圧することを解除すると、弾性保持部材５の支柱部１８および基台部１９の弾性復帰力により、第１の基板６の両端が内ケース本体９の内面に当接され、内ケース本体９の外面が外ケース本体１３の内面に当接されて、外ケース４は、第２の基板２１から第１の基板６の方向に移動されようとなされる。このとき、外ケース４の一対の爪部１５，１５が第２の基板２１の他方の面２１ｂに係止されているので、外ケース４は、移動できず、前記弾性復帰力に対抗して第１の基板６から第２の基板２１の方向に向かう対抗力を弾性保持部材５の支柱部１８および基台部１９に作用させる。
【００５３】
前記対抗力により、弾性保持部材５の鍔部２０が第２の基板２１の一方の面２ａに係止され、弾性保持部材５は第２の基板２１に固定される。一方、外ケース４は、弾性保持部材５の弾性復帰力により一対の爪部１５，１５が第２の基板２１の他方の面２１ｂに係止され、第２の基板２１に固定される。これら弾性復帰力および対抗力が釣り合った状態で、第１の基板６の内ケース本体９の内面への当接および内ケース本体９の外面の外ケース本体１３の内面への当接が強固となり、弾性保持部材５および外ケース４との間で、センサ部２、第１の基板６および内ケース３が保持される。すなわち、前記弾性復帰力および対抗力により、センサ部２および第１の基板６、内ケース３、外ケース４、弾性保持部材５および第２の基板２１が一体化されてセンサユニット１を形成している。そして、リード線７は、第２の基板２１に接続される。
【００５４】
そして、外ケース４の第２の開口１４から突出しているセンサ部２または内ケース３の筒部１１を手で掴み、所定の方向、すなわち、センサ部２の検出方向に力を作用させると、弾性保持部材５の支柱部１８の先端部１８ａおよび第１の基板６の他方の面６ｂの当接部を支点として、内ケース本体９の外面が外ケース本体１３の内面に摺動しながら、内ケース３の突起１２，１２が外ケース４の溝１７，１７内を移動あるいは溝１７，１７内で回動する。これにより、センサ部２の検出方向が変化（調整）される。そして、第１の基板６は、内ケース本体９の内面に、内ケース本体９の外面は、外ケース本体１３の内面にそれぞれ強固に当接しているので、突起１２，１２の移動あるいは回動が停止された時点で、センサ部２の検出方向が固定される。
【００５５】
突起１２，１２は、内ケース３の移動軸または回動軸としての機能を有している。この突起１２，１２が移動あるいは回動されることにより、溝１７，１７の形成方向あるいは溝１７，１７と直交する方向のみならず、全方向に内ケース３が回動される。したがって、内ケース３の回動とともにセンサ部２が回動するので、センサ部２の検出方向を任意に設定可能である。そして、内ケース３が回動され、内ケース３の筒部１１が外ケース４の第２の開口１４の周部に当接すると、さらに内ケース３を回動させることはできない。すなわち、内ケース３が回動される範囲は、筒部１１が第２の開口１４内で移動できる範囲であり、筒部１１および第２の開口１４は、センサ部２の検出方向を所定範囲に設定させている。また、筒部１１は、センサ部２が第２の開口１４の周部に当たらないように、センサ部２の保護をしている。
【００５６】
そして、センサユニット１は、センサ部２および第１の基板６、内ケース３、外ケース４、弾性保持部材５および第２の基板２１を有して形成されるので、部品点数が少なく、簡素な構成で組立ても容易となり、安価に形成される。また、センサユニット１は、センサ部２を配設している第１の基板６を内ケース３に収納し、内ケース３を外ケース４に収納し、第１の基板６に弾性保持部材５を当接させ、少なくともセンサ部２の先端部２ａを外ケース４の第２の開口１４から突出させて形成されるので、これらセンサ部２および第１の基板６、内ケース３、外ケース４および弾性保持部材５がコンパクトに組立て可能であり、薄形化が可能である。
【００５７】
次に、本発明の第２の実施形態について説明する。
【００５８】
図４は、本発明の第２の実施形態を示すセンサユニットの断面図である。なお、図１と同一部分には同一符号を付して説明は省略する。
【００５９】
図４に示すセンサユニット２４は、図１に示すセンサユニット１において、弾性保持部材５として弾性復帰力を有するスポンジ２５を第２の基板２１に配設している。スポンジ２５は、上面が三角形状である略直方体に形成され、下面が第２の基板２１の一方の面２１ａに図示しない接着材により固定され、上面が第１の基板６の他方の面６ｂに当接している。また、外ケース４の爪部１５，１５は、第２の基板２１の一方の面２１ａに固定される被係止部としての逆皿状の止め金具２６に係止されている。そして、第２の基板２１には、孔２７が設けられ、孔２７にリード線７が挿通されている。
【００６０】
スポンジ２５は、自身の弾性復帰力により、外ケース４との間でセンサ部２を配設している第１の基板６および内ケース４を保持する。
【００６１】
なお、スポンジ２５に代えて、例えば同形状の硬質ゴムに形成されたものであっても、同様の作用、効果が得られる。
【００６２】
次に、本発明の第３の実施形態について説明する。
【００６３】
図５は、本発明の第３の実施形態を示すセンサユニットの断面図である。なお、図４と同一部分には同一符号を付して説明は省略する。
【００６４】
図５に示すセンサユニット２８は、図４に示すセンサユニット２４において、スポンジ２５に代えてスプリング２９を第２の基板２１に配設している。スプリング２９の一端は、第２の基板２１の一方の面２１ａに図示しない接着材により固定されており、他端は、小面状にされて第１の基板６の他方の面６ｂに当接されている。
【００６５】
スプリング２９の弾性復帰力により、スプリング２９および外ケース４の間でセンサ部２を配設している第１の基板６および内ケース４が保持される。
【００６６】
次に、本発明の第４の実施形態について説明する。
【００６７】
図６は、本発明の第４の実施形態を示すセンサ装置の断面図である。なお、図１と同一部分には同一符号を付して説明は省略する。
【００６８】
図６に示すセンサ装置３０は、皿状のセンサ装置本体３１の内部に図１に示すセンサユニット１が配設されている。第２の基板２１は、支持脚３２，３２にねじ３３，３３により固定されている。また、センサ装置本体３１の開口には、少なくともセンサ部２が露出するように、センサ部２が挿通される開口３４を有するカバー３５が設けられている。
【００６９】
構成が簡素で安価であり、センサ部２の検出方向を所定の方向に設定可能なセンサユニット１を備えたセンサ装置３０が提供される。また、センサユニット１は薄形化が可能であるので、センサ装置本体３１を薄形化することにより、センサ装置３０が薄形化される。
【００７０】
【発明の効果】請求項１の発明によれば、外ケースおよび弾性保持部材の間でセンサ部を配設している第１の基板および内ケースが弾性保持部材の弾性復帰力により保持されてセンサユニットが形成されているので、部品点数が少なく、簡素な構成となって、安価に形成することができるとともに、薄形化することができる。
【００７１】
請求項２の発明によれば、弾性保持部材の弾性復帰力により、弾性保持部材の鍔部が第１の基板が対向する面に係止され、外ケースの係止部が第１の基板が対向する面の背面に係止されるので、弾性保持部材および外ケースの間で第１の基板および内ケースを強固に保持することができる。
【００７２】
請求項３の発明によれば、筒部は、センサ部を挿通しているので、センサ部を外部の衝撃などから保護することができると共に、センサユニットの意匠性を向上させることができる。
【００７３】
請求項４の発明によれば、内ケースの突起は、外ケースの溝を移動または回動するので、突起が移動軸または回動軸の役目を果たすことができると共に、内ケースの回動を規制することができる。
【００７４】
請求項５の発明によれば、挿通部は、基台部に容易に形成することができると共に、センサ部または第１の基板からのリード線を外部に容易に導出させることができる。
【００７５】
請求項６の発明によれば、第２の基板は、センサ部に駆動電圧を供給する電源回路部およびセンサ部の検出電圧を増幅する増幅回路部を有するので、センサ部または第１の基板から導出されているリード線を短長にして第２の基板に接続することができると共に、センサユニットを小形化することができる。
【００７６】
請求項７の発明によれば、センサ部および第１の基板、内ケース、外ケースおよび弾性保持部材を有して形成されたセンサユニットを具備するので、安価であり、薄形化が可能なセンサ装置を提供することができる。
【図面の簡単な説明】
【図１】本発明の第１の実施形態を示すセンサユニットの断面図。
【図２】同じく、センサユニットの分解斜視図。
【図３】同じく、外ケースの縦断面図。
【図４】本発明の第２の実施形態を示すセンサユニットの断面図。
【図５】本発明の第３の実施形態を示すセンサユニットの断面図。
【図６】本発明の第４の実施形態を示すセンサ装置の断面図。
【符号の説明】
１，２４，２８…センサユニット、２…センサ部、３…内ケース、４…外ケース、５…弾性保持部材、１８…弾性保持部材の支柱部、１９…弾性保持部材の基台部、２１…第２の基板、２５…弾性保持部材としてのスポンジ、２９…弾性保持部材としてのスプリング、３０…センサ装置、３１…センサ装置本体
【図１】
2004279067.tif 000003
【図２】
2004279067.tif 000004
【図３】
2004279067.tif 000005
【図４】
2004279067.tif 000006
【図５】
2004279067.tif 000007
【図６】
2004279067.tif 000008